(57)【特許請求の範囲】
【請求項１】
コンクリート製の屋根を備える既設の上水用タンクの屋根改修構造であって、
前記屋根と、その屋根と前記タンク内との間を遮断する遮断膜と、その遮断膜を支持する複数の支持材とを備え、
前記支持材が、前記屋根に設けた複数の貫通孔の各々を通じて、前記屋根の上面側と前記遮断膜との間に渡され、かつ、それら支持材の一方部が、前記遮断膜に固定され、また、他方部が、前記屋根の上面に設けた固定部に固定されて、前記遮断膜が前記屋根の下方に配設されていることを特徴とする、上水用タンクの屋根改修構造。
【請求項２】
前記支持材が、前記貫通孔の各々を通じて、前記貫通孔から下方に直状に延びるようにして、前記屋根の上面側と前記遮断膜との間に渡されていることを特徴とする、請求項１に記載の上水用タンクの屋根改修構造。
【請求項３】
前記固定部は、前記貫通孔を覆うように前記屋根の上面に配備された孔付きのプレート部材と、そのプレート部材に覆い被さるように前記屋根の上面に配備された覆い部材とを備え、かつ、
前記支持材の他方部は、前記プレート部材の孔に挿通されるとともに、前記覆い部材内に収まるようにして、前記プレート部材に固定されていることを特徴とする、請求項１または２に記載の上水用タンクの屋根改修構造。
【請求項４】
前記固定部は、前記貫通孔に臨むように前記屋根の上面に配備された棒状部材を備え、かつ、
前記棒状部材と、その棒状部材に固定された前記支持材の他方部とに、コンクリートが巻き立てられていることを特徴とする、請求項１または２に記載の上水用タンクの屋根改修構造。
【請求項５】
コンクリート製の屋根を備える既設の上水用タンクの屋根改修方法であって、
前記タンク内に、前記屋根と前記タンク内との間を遮断する遮断膜を搬入し、
前記遮断膜を支持する支持材を一端側に形成するまたは備える複数の長材を、前記屋根に設けた複数の貫通孔の各々を通じて、前記屋根の上面側から前記タンク内に垂下させるとともに、前記支持材の一方部を、前記タンク内に搬入した前記遮断膜に固定し、
前記長材の前記一端側を、前記貫通孔の各々を通じて引き上げることで、前記遮断膜を吊り上げるとともに、前記支持材を、前記貫通孔の各々を通じて、前記屋根の上面側と前記遮断膜との間に渡し、かつ、
それら支持材の他方部を、前記屋根の上面に設けた固定部に固定して、前記遮断膜を前記屋根の下方に配設することを特徴とする、上水用タンクの屋根改修方法。
【請求項６】
コンクリート製の屋根を備える既設の上水用タンクの屋根改修方法であって、
前記タンク内に、前記屋根と前記タンク内との間を遮断する遮断膜を搬入し、
複数の長材を、前記屋根に設けた複数の貫通孔の各々を通じて、前記屋根の上面側から前記タンク内に垂下させるとともに、それら長材の一端側と、前記タンク内に搬入した前記遮断膜に一方部が固定された、前記遮断膜を支持する支持材とをつなぎ、
前記長材の前記一端側を、前記貫通孔の各々を通じて引き上げることで、前記遮断膜を吊り上げるとともに、前記支持材を、前記貫通孔の各々を通じて、前記屋根の上面側と前記遮断膜との間に渡し、かつ、
それら支持材の他方部を、前記屋根の上面に設けた固定部に固定して、前記遮断膜を前記屋根の下方に配設することを特徴とする、上水用タンクの屋根改修方法。
【請求項７】
前記遮断膜を配設するにあたって、前記支持材を、前記貫通孔の各々を通じて、前記貫通孔から下方に直状に延びるようにして、前記屋根の上面側と前記遮断膜との間に渡すことを特徴とする、請求項５または６に記載の上水用タンクの屋根改修方法。
【発明の詳細な説明】
【技術分野】
【０００１】
この発明は、上水用タンクの屋根改修構造、および上水用タンクの屋根改修方法に関するものである。
【背景技術】
【０００２】
従来、上水が貯留される上水用のタンクにおいて、そのタンクのコンクリート製の屋根が、上水に含まれる塩素イオンによって劣化することあるいは劣化が進むことを防止するために、塩素イオンに対する耐久性のある遮断膜を屋根の下方に配設して、塩素イオンを遮断する工法が知られている。ここで、屋根の下方に遮断膜を配設する工法として、例えば、図１８に示すものがあった（特許文献１参照）。この工法にあっては、タンク内の底壁１０１上に配備した移動足場１０２を使用して、屋根１０３の内側面１０３ａに取付部１０４、１０４を固着し、それら取付部１０４、１０４の先端に滑車１０５、１０５を取り付けて、吊り上げ用の索条１０６、１０６を懸架していた。そして、それら索条１０６、１０６を、膜骨及び膜材からなる遮断膜１０７に接続し、さらに、ウインチなどの巻取機１０８、１０８によって巻き取って、遮断膜１０７を吊り上げていた。その後、移動足場１０２を使用して、吊り上げられた遮断膜１０７を取付部１０４、１０４に取り付け、こうして、屋根１０３の下方に遮断膜１０７が配設された。
【先行技術文献】
【特許文献】
【０００３】
【特許文献１】特開２００２−１２８１９０号公報
【発明の概要】
【発明が解決しようとする課題】
【０００４】
ところで、前記従来の工法にあっては、屋根１０３の内側面１０３ａに取付部１０４、１０４を固着する作業、取付部１０４、１０４の先端に滑車１０５、１０５を取り付けて索条１０６、１０６を懸架する作業、および、吊り上げられた遮断膜１０７を取付部１０４、１０４に取り付ける作業を、移動足場１０２を使用して行っていたため、それらの作業を行う際には、その都度、各取付部１０４、１０４の位置に合わせて、移動足場１０２を移動させる必要があり、作業性が悪かった。また、遮断膜１０７を取り付ける取付部１０４、１０４を、屋根１０３の内側面１０３ａに固着していたため、屋根１０３の内側面１０３ａの劣化の状況によっては、遮断膜１０７の取付工事が困難である場合があった。
【０００５】
この発明は、上記した従来の欠点を解決するためになされたものであり、その目的とするところは、作業性に優れた、上水用タンクの屋根改修構造、および上水用タンクの屋根改修方法を提供することにある。また、他の目的は、屋根の内側面の劣化が進んだ状態であっても、遮断膜の取付工事を行うことができる、上水用タンクの屋根改修構造、および上水用タンクの屋根改修方法を提供することにある。
【課題を解決するための手段】
【０００６】
この発明に係る上水用タンクの屋根改修構造、および上水用タンクの屋根改修方法は、前記目的を達成するために、次の構成からなる。すなわち、
請求項１に記載の発明に係る上水用タンクの屋根改修構造は、コンクリート製の屋根を備える既設の上水用タンクの屋根改修構造である。この改修構造は、前記屋根と、その屋根と前記タンク内との間を遮断する遮断膜と、その遮断膜を支持する複数の支持材とを備える。そして、前記支持材が、前記屋根に設けた複数の貫通孔の各々を通じて、前記屋根の上面側と前記遮断膜との間に渡され、かつ、それら支持材の一方部が、前記遮断膜に固定され、また、他方部が、前記屋根の上面に設けた固定部に固定されて、前記遮断膜が前記屋根の下方に配設されている。
【０００７】
この改修構造にあっては、遮断膜を支持する複数の支持材が、屋根に設けた複数の貫通孔の各々を通じて、屋根の上面側と遮断膜との間に渡され、かつ、それら支持材は、一方部が、遮断膜に固定され、また、他方部が、屋根の上面に設けた固定部に固定される。したがって、支持材の他方部を固定部に固定する作業を、貫通孔を通じて、屋根上で行うことができ、作業性に優れる。また、支持材の他方部が固定される固定部が、屋根の上面に設けられることから、屋根の内側面の劣化が進んだ状態であっても、遮断膜の取付工事を行うことができる。
【０００８】
また、請求項２に記載の発明に係る上水用タンクの屋根改修構造のように、請求項１に記載の改修構造において、前記支持材が、前記貫通孔の各々を通じて、前記貫通孔から下方に直状に延びるようにして、前記屋根の上面側と前記遮断膜との間に渡されていてもよい。
【０００９】
また、請求項３に記載の発明に係る上水用タンクの屋根改修構造のように、請求項１または２に記載の改修構造において、前記固定部は、前記貫通孔を覆うように前記屋根の上面に配備された孔付きのプレート部材と、そのプレート部材に覆い被さるように前記屋根の上面に配備された覆い部材とを備え、かつ、前記支持材の他方部は、前記プレート部材の孔に挿通されるとともに、前記覆い部材内に収まるようにして、前記プレート部材に固定されていてもよい。こうすることで、支持材の他方部およびその他方部が固定されたプレート部材を、風雨などから保護することができる。
【００１０】
また、請求項４に記載の発明に係る上水用タンクの屋根改修構造のように、請求項１または２に記載の改修構造において、前記固定部は、前記貫通孔に臨むように前記屋根の上面に配備された棒状部材を備え、かつ、前記棒状部材と、その棒状部材に固定された前記支持材の他方部とに、コンクリートが巻き立てられていてもよい。こうすることで、支持材の他方部およびその他方部が固定された棒状部材を、風雨などから保護するとともに、それら支持材の他方部と棒状部材とをより強固に固定することができる。
【００１１】
また、請求項５に記載の発明に係る上水用タンクの屋根改修方法は、コンクリート製の屋根を備える既設の上水用タンクの屋根改修方法である。この改修方法にあっては、前記タンク内に、前記屋根と前記タンク内との間を遮断する遮断膜を搬入する。次に、前記遮断膜を支持する支持材を一端側に形成するまたは備える複数の長材を、前記屋根に設けた複数の貫通孔の各々を通じて、前記屋根の上面側から前記タンク内に垂下させるとともに、前記支持材の一方部を、前記タンク内に搬入した前記遮断膜に固定する。その後、前記長材の前記一端側を、前記貫通孔の各々を通じて引き上げることで、前記遮断膜を吊り上げるとともに、前記支持材を、前記貫通孔の各々を通じて、前記屋根の上面側と前記遮断膜との間に渡す。そして、それら支持材の他方部を、前記屋根の上面に設けた固定部に固定して、前記遮断膜を前記屋根の下方に配設する。
【００１２】
この改修方法にあっては、遮断膜を支持する支持材を一端側に形成するまたは備える複数の長材を、屋根に設けた複数の貫通孔の各々を通じて、屋根の上面側からタンク内に垂下させるとともに、前記支持材の一方部を、タンク内に搬入した遮断膜に固定する。その後、それら長材の一端側を、複数の貫通孔の各々を通じて引き上げることで、遮断膜を吊り上げるとともに、支持材を、複数の貫通孔の各々を通じて、屋根の上面側と遮断膜との間に渡す。さらに、それら支持材の他方部を、屋根の上面に設けた固定部に固定する。したがって、支持材の他方部を固定部に固定する作業を、貫通孔を通じて、屋根上で行うことができ、作業性に優れる。また、支持材の他方部が固定される固定部が、屋根の上面に設けられることから、屋根の内側面の劣化が進んだ状態であっても、遮断膜の取付工事を行うことができる。
【００１３】
また、請求項６に記載の発明に係る上水用タンクの屋根改修方法は、コンクリート製の屋根を備える既設の上水用タンクの屋根改修方法である。この改修方法にあっては、前記タンク内に、前記屋根と前記タンク内との間を遮断する遮断膜を搬入する。次に、複数の長材を、前記屋根に設けた複数の貫通孔の各々を通じて、前記屋根の上面側から前記タンク内に垂下させるとともに、それら長材の一端側と、前記タンク内に搬入した前記遮断膜に一方部が固定された、前記遮断膜を支持する支持材とをつなぐ。その後、前記長材の前記一端側を、前記貫通孔の各々を通じて引き上げることで、前記遮断膜を吊り上げるとともに、前記支持材を、前記貫通孔の各々を通じて、前記屋根の上面側と前記遮断膜との間に渡す。そして、それら支持材の他方部を、前記屋根の上面に設けた固定部に固定して、前記遮断膜を前記屋根の下方に配設する。
【００１４】
この改修方法にあっては、複数の長材を、屋根に設けた複数の貫通孔の各々を通じて、屋根の上面側からタンク内に垂下させるとともに、それら長材の一端側と、タンク内に搬入した遮断膜に一方部が固定された、遮断膜を支持する支持材とをつなぐ。その後、それら長材の一端側を、複数の貫通孔の各々を通じて引き上げることで、遮断膜を吊り上げるとともに、支持材を、複数の貫通孔の各々を通じて、屋根の上面側と遮断膜との間に渡す。さらに、それら支持材の他方部を、屋根の上面に設けた固定部に固定する。したがって、支持材の他方部を固定部に固定する作業を、貫通孔を通じて、屋根上で行うことができ、作業性に優れる。また、支持材の他方部が固定される固定部が、屋根の上面に設けられることから、屋根の内側面の劣化が進んだ状態であっても、遮断膜の取付工事を行うことができる。
【００１５】
また、請求項７に記載の発明に係る上水用タンクの屋根改修方法のように、請求項５または６に記載の改修方法において、前記遮断膜を配設するにあたって、前記支持材を、前記貫通孔の各々を通じて、前記貫通孔から下方に直状に延びるようにして、前記屋根の上面側と前記遮断膜との間に渡してもよい。
【発明の効果】
【００１６】
この発明に係る上水用タンクの屋根改修構造、および上水用タンクの屋根改修方法によれば、遮断膜を支持する支持材の他方部を固定部に固定する作業を、貫通孔を通じて、屋根上で行うことができ、作業性に優れる。また、支持材の他方部が固定される固定部が、屋根の上面に設けられることから、屋根の内側面の劣化が進んだ状態であっても、遮断膜の取付工事を行うことができる。
【図面の簡単な説明】
【００１７】
【図１】この発明の第一の実施の形態の、屋根改修構造を示す模式図である。
【図２】同じく、要部拡大図である。
【図３】同じく、模式的な縮小平面図である。
【図４】同じく、支持材および固定部を示す模式的な一部破断拡大斜視図である。
【図５】同じく、図２におけるＡ部拡大図である。
【図６】同じく、図２におけるＢ部拡大図である。
【図７】同じく、屋根改修方法において、タンク内に遮断膜を搬入した状態を示す模式図である。
【図８】同じく、複数の長材をタンク内に垂下させた状態を示す模式図である。
【図９】同じく、遮断膜を吊り上げた状態を示す模式図である。
【図１０】この発明の第二の実施の形態の、図４相当図である。
【図１１】この発明の第三の実施の形態の、図４相当図である。
【図１２】この発明の第四の実施の形態の、図４相当図である。
【図１３】この発明の第五の実施の形態の、図４相当図である。
【図１４】同じく、図８相当図である。
【図１５】この発明の第六の実施の形態の、図４相当図である。
【図１６】この発明の第七の実施の形態の、図４相当図である。
【図１７】遮断膜の周端部分の取付固定に係る変形例を示す、図５相当図である。
【図１８】従来の屋根改修構造および屋根改修方法を示す図である。
【発明を実施するための形態】
【００１８】
以下、この発明に係る上水用タンクの屋根改修構造、および上水用タンクの屋根改修方法を実施するための形態を図面に基づいて説明する。
【００１９】
図１〜図９は、本発明の第一の実施の形態を示す。図中符号１は、既設の上水用タンクを示し、同上水用タンク１は、コンクリート製の屋根２を備える。３は、タンク１の屋根改修構造を示す。なお、図１、図２および図７〜図９においては、便宜上、ハッチングを省略してある。
【００２０】
この屋根改修構造３は、前記屋根２としてのドーム屋根２１と、そのドーム屋根２１とタンク１内との間を遮断する遮断膜４と、その遮断膜４を支持する複数の支持材５、５とを備える。そして、支持材５、５が、ドーム屋根２１に設けた複数の貫通孔６、６の各々を通じて、ドーム屋根２１の上面２１ａ側と遮断膜４との間に渡され、かつ、それら支持材５、５の一方部５ａ、５ａが、遮断膜４に固定され、また、他方部５ｂ、５ｂが、ドーム屋根２１の上面２１ａに設けた固定部７に固定されて、遮断膜４がドーム屋根２１の下方に配設されている。図示実施の形態においては、支持材５、５が、貫通孔６、６の各々を通じて、貫通孔６、６から下方に直状に延びるようにして、ドーム屋根２１の上面２１ａ側と遮断膜４との間に渡されている。
【００２１】
具体的には、固定部７は、貫通孔６を覆うようにドーム屋根２１の上面２１ａに配備された孔付きのプレート部材７ａと、そのプレート部材７ａに覆い被さるようにドーム屋根２１の上面２１ａに配備された、覆い部材としての保護キャップ７ｂとを備える（図４参照）。そして、支持材５の他方部５ｂは、貫通孔６およびプレート部材７ａの孔７ｃに挿通されるとともに、保護キャップ７ｂ内に収まるようにして、プレート部材７ａに固定されている。詳細には、支持材５は、例えば、紐あるいはロープからなり、その他方部５ｂには、幾重に絡まるようにして、結び玉５ｃが形成されている。そして、この結び玉５ｃが、接着剤等によって固められるようにして、プレート部材７ａの上面７ｄに固着され、さらに、そのプレート部材７ａが、接着剤等によって、ドーム屋根２１の上面２１ａに固着されている。また、保護キャップ７ｂの下端部周囲には、その保護キャップ７ｂとドーム屋根２１の上面２１ａとの境目の隙間を塞ぐように、コーキング７ｅ処理されている。
【００２２】
また、図示実施の形態においては、ドーム屋根２１には、環状に並ぶ貫通孔６、６群が、同心円状に複数列設けられている。そして、それら貫通孔６、６の各々に対応するように、環状に並ぶ支持材５、５群および固定部７、７群（図示実施の形態においては、プレート部材７ａ、７ａ群および保護キャップ７ｂ、７ｂ群）が同心円状に複数列配置され（図３参照）、ならびに、後述する遮断膜４の取付固定部４ａ、４ａ群（図示実施の形態においては、固定タブ４ｂ、４ｂ群）も同様に、前記貫通孔６、６の各々に対応するように、同心円状に複数列配置されることになる。また、ドーム屋根２１の中心部には、タンク１内に通じる通気孔２１ｂが備えられている。なお、符号２１ｄは、ドーム屋根２１と遮断膜４との間に、万が一、結露水が溜まったり雨水が浸入した場合に、その水を排出するための、水抜きパイプである。
【００２３】
遮断膜４は、例えば、塩化ビニル樹脂等の樹脂材料によりコーティングされた膜材等からなり、塩素イオンに対する耐久性を有している。図示実施の形態においては、遮断膜４は、ドーム屋根２１の内側面２１ｅを覆うことができるように略円形状に形成されており、その中心部分には、ドーム屋根２１の通気孔２１ｂに対応するようにして、抜き孔（図示せず）が形成されている。また、遮断膜４には、支持材５の一方部５ａが取付固定される取付固定部４ａが設けられている（図４参照）。具体的には、取付固定部４ａは、遮断膜４の、ドーム屋根２１の内側面２１ｅと対向する面（図示実施の形態においては、上面）に設けられた固定タブ４ｂからなる。この固定タブ４ｂは、遮断膜４の、ドーム屋根２１の内側面２１ｅと対向する面（図示実施の形態においては、上面）に、ミシン縫いあるいは溶着によって固着されている。そして、支持材５の一方部５ａは、固定タブ４ｂに結び止められ、さらに、接着剤等によって固められるようにして、固定タブ４ｂに取付固定されている。また、図示実施の形態においては、固定タブ４ｂ（取付固定部４ａ）は、貫通孔６の鉛直下に位置している（図１、図２および図４参照）。すなわち、支持材５は、貫通孔６を通じて、その貫通孔６から鉛直下方に直状に延びるようにして、ドーム屋根２１の上面２１ａ側と遮断膜４との間に渡されている。
【００２４】
また、遮断膜４の周端部分４ｃは、ドーム屋根２１の内側面２１ｅの周縁部２１ｆに固定されている（図２および図５参照）。図示実施の形態においては、遮断膜４の周端部分４ｃと、ドーム屋根２１の内側面２１ｅの周縁部２１ｆとの間には、気密性を確保するために、例えばスポンジゴム等の弾性材からなるシール材２２を介在させている。そして、遮断膜４の周端部分４ｃおよびシール材２２は、プレート２３を介してボルト２４等の固着具によって、前記周縁部２１ｆに取付固定されている。同様に、遮断膜４の前記抜き孔の周縁部分４ｄは、ドーム屋根２１の内側面２１ｅの通気孔周縁部２１ｇに固定されている（図２および図６参照）。図示実施の形態においては、遮断膜４の抜き孔の周縁部分４ｄと、ドーム屋根２１の内側面２１ｅの通気孔周縁部２１ｇとの間には、気密性を確保するために、例えばスポンジゴム等の弾性材からなるシール材２２ａを介在させている。そして、遮断膜４の抜き孔の周縁部分４ｄおよびシール材２２ａは、プレート２３ａを介してボルト２４ａ等の固着具によって、前記通気孔周縁部２１ｇに取付固定されている。
【００２５】
また、図示実施の形態においては、遮断膜４は、ドーム屋根２１の内側面２１ｅとの間に所要の間隔をおいて、その内側面２１ｅに沿うように、しかも、垂れ気味の状態、すなわち、緊張されない状態で（詳細には、取付固定部４ａ、４ａ間、ならびに、取付固定部４ａと遮断膜４の周端部分４ｃ側および抜き孔の周縁部分４ｄ側との間において、垂れ気味の状態、すなわち、緊張されない状態で）、ドーム屋根２１の下方に配設されている。
【００２６】
次に、タンク１の屋根改修方法を説明する。この改修方法にあっては、タンク１内に前記遮断膜４を搬入する。次に、前記支持材５を一端１０ａ側に形成するまたは備える（図示実施の形態においては、一端１０ａ側に形成する）複数の長材１０、１０を、前記複数の貫通孔６、６の各々を通じて、ドーム屋根２１の上面２１ａ側からタンク１内に垂下させるとともに、支持材５、５の一方部５ａ、５ａを、タンク１内に搬入した遮断膜４に固定する。その後、長材１０、１０の一端１０ａ、１０ａ側を、貫通孔６、６の各々を通じて引き上げることで、遮断膜４を吊り上げるとともに、支持材５、５を、貫通孔６、６の各々を通じて、ドーム屋根２１の上面２１ａ側と遮断膜４との間に渡す。そして、それら支持材５、５の他方部５ｂ、５ｂを、前記固定部７、７に固定して、遮断膜４をドーム屋根２１の下方に配設する。図示実施の形態においては、遮断膜４を配設するにあたって、支持材５、５を、貫通孔６、６の各々を通じて、貫通孔６、６から下方に直状に延びるようにして、ドーム屋根２１の上面２１ａ側と遮断膜４との間に渡す。
【００２７】
詳細には、まず、ドーム屋根２１に、複数の貫通孔６、６を形成する（図示実施の形態においては、環状に並ぶ貫通孔６、６群を、同心円状に複数列形成する）。貫通孔６、６の形成後、遮断膜４を、ドーム屋根２１の通気孔２１ｂ、あるいはドーム屋根２１に設けられた、タンク１内を点検するための人孔（図示せず）から、タンク１内に搬入する。その後、搬入した遮断膜４を、タンク１内で展開する（図７参照）。遮断膜４が、通気孔２１ｂあるいは前記人孔からの搬入が難しい程の大きさである場合には、例えば、ドーム屋根２１に新たに開口部（例えば、２．０ｍ×２．０ｍ程度の開口部）を設け、その開口部から遮断膜４をタンク１内に搬入してもよい。この場合、遮断膜４の搬入後に、その開口部の開口を塞ぐように蓋が配備されることとなる。また、前記開口部は、ドーム屋根２１の通気孔２１ｂの周囲を拡開するようにして形成しても構わない。
【００２８】
続いて、前記長材１０、１０を、形成した貫通孔６、６の各々を通じてタンク１内に垂下させる（図８参照）。図示実施の形態においては、この長材１０は、前記紐あるいはロープからなる。すなわち、長材１０における一端１０ａ側の一部分が、そのまま前記支持材５となる。そこで、各長材１０、１０の他端１０ｂ、１０ｂ側を、ドーム屋根２１の上面２１ａに配備した、例えば、ウインチなどの巻き上げ手段１１、１１に取り付けるとともに、それら長材１０、１０の一端１０ａ、１０ａ側から、貫通孔６、６の各々を通じてタンク１内に垂下させる。その後、タンク１内に垂下させた長材１０、１０における支持材５、５の一方部５ａ、５ａを、遮断膜４の取付固定部４ａ、４ａに取付固定する（詳細には、遮断膜４に設けられた固定タブ４ｂ、４ｂに、支持材５、５の一方部５ａ、５ａを結び止め、さらに、接着剤等によって固める）。
【００２９】
その後、各長材１０、１０を、ドーム屋根２１の上面２１ａに配備した巻き上げ手段１１、１１によって巻き上げることで、長材１０、１０の一端１０ａ、１０ａ側を、貫通孔６、６の各々を通じて引き上げる（図９参照）。このとき、例えば、同心円状に複数列設けられた貫通孔６、６群のうちの、最外周に位置する貫通孔６、６群、最内周に位置する貫通孔６、６群、その他の貫通孔６、６群の順に、対応する長材１０、１０を巻き上げるのが望ましいが、必ずしもこの順番に巻き上げる必要はない。こうして、各長材１０、１０の一端１０ａ、１０ａ側が引き上げられることによって、遮断膜４が、ドーム屋根２１の内側面２１ｅに沿うように、しかも、垂れ気味の状態、すなわち、緊張されない状態で（詳細には、取付固定部４ａ、４ａ間において、垂れ気味の状態、すなわち、緊張されない状態で）、吊り上げられるとともに、それら長材１０、１０における支持材５、５が、貫通孔６、６の各々を通じて、ドーム屋根２１の上面２１ａ側と遮断膜４との間に渡されることとなる。
【００３０】
そして、ドーム屋根２１の上面２１ａ側と遮断膜４との間に渡された支持材５、５の、他方部５ｂ、５ｂを、固定部７、７に固定する。詳細には、長材１０、１０の一端１０ａ、１０ａ側を引き上げた後、それら長材１０、１０の、支持材５、５を除いた部分を切断除去するとともに、プレート部材７ａ、７ａを、それらの孔７ｃ、７ｃに支持材５、５の他方部５ｂ、５ｂを通すようにして、ドーム屋根２１の上面２１ａに配備する。そして、それら支持材５、５の他方部５ｂ、５ｂに、幾重に絡めるようにして結び玉５ｃ、５ｃを形成し、それら結び玉５ｃ、５ｃを、接着剤等によって固めるようにして、各プレート部材７ａ，７ａの上面７ｄ、７ｄに固着する。また、プレート部材７ａ、７ａを、接着剤等によって、ドーム屋根２１の上面２１ａに固着する。その後、固着したプレート部材７ａ、７ａに覆い被さるように保護キャップ７ｂ、７ｂを設置し、それら保護キャップ７ｂ、７ｂの下端部とドーム屋根２１の上面２１ａとの境目の隙間を塞ぐように、コーキング７ｅ、７ｅ処理する。なお、必要に応じて、貫通孔６、６内をシールしたり、また、保護キャップ７ｂ内に、例えば、モルタルや樹脂等の充填剤を注入したりしても構わない。
【００３１】
また、図示実施の形態においては、遮断膜４の周端部分４ｃおよび抜き孔の周縁部分４ｄを、それぞれドーム屋根２１の内側面２１ｅに固定する。詳細には、ドーム屋根２１の内側面２１ｅの周縁部２１ｆに、シール材２２を張り付ける。そして、遮断膜４が、取付固定部４ａと周端部分４ｃ側との間において、垂れ気味の状態、すなわち、緊張されない状態で、その周端部分４ｃをシール材２２に宛がい、さらに、それら周端部分４ｃおよびシール材２２を貫通するようにして、プレート２３を介してボルト２４を締め付ける。同様に、ドーム屋根２１の内側面２１ｅの通気孔周縁部２１ｇに、シール材２２ａを張り付ける。そして、遮断膜４が、取付固定部４ａと抜き孔の周縁部分４ｄ側との間において、垂れ気味の状態、すなわち、緊張されない状態で、その抜き孔の周縁部分４ｄをシール材２２ａに宛がい、さらに、それら抜き孔の周縁部分４ｄおよびシール材２２ａを貫通するようにして、プレート２３ａを介してボルト２４ａを締め付ける。こうして、遮断膜４が、ドーム屋根２１の内側面２１ｅとの間に所要の間隔をおいて、その内側面２１ｅに沿うように、しかも、垂れ気味の状態、すなわち、緊張されない状態で（詳細には、取付固定部４ａ、４ａ間、ならびに、取付固定部４ａと遮断膜４の周端部分４ｃ側および抜き孔の周縁部分４ｄ側との間において、垂れ気味の状態、すなわち、緊張されない状態で）、ドーム屋根２１の下方に配設される。（図１、図２参照）。
【００３２】
なお、この改修方法にあっては、タンク１内に上水が貯留していない場合はもちろん、上水が貯留している場合であっても、その改修作業に支障が生じないのであれば、実施してもよい。
【００３３】
次に、以上の構成からなる屋根改修構造３、および屋根改修方法の作用効果について説明する。この改修構造３にあっては、遮断膜４を支持する複数の支持材５、５が、ドーム屋根２１に設けた複数の貫通孔６、６の各々を通じて、ドーム屋根２１の上面２１ａ側と遮断膜４との間に渡され、かつ、それら支持材５、５は、一方部５ａ、５ａが、遮断膜４（詳細には、取付固定部４ａ、４ａ）に固定され、また、他方部５ｂ、５ｂが、ドーム屋根２１の上面２１ａに設けた固定部７、７（詳細には、プレート部材７ａ、７ａ）に固定される。したがって、支持材５、５の他方部５ｂ、５ｂを固定部７、７（詳細には、プレート部材７ａ、７ａ）に固定する作業を、貫通孔６、６を通じて、ドーム屋根２１上で行うことができ、作業性に優れる。また、支持材５、５の他方部５ｂ、５ｂが固定される固定部７、７（詳細には、プレート部材７ａ、７ａ）が、ドーム屋根２１の上面２１ａに設けられることから、ドーム屋根２１の内側面２１ｅの劣化が進んだ状態であっても、遮断膜４の取付工事を行うことができる。
【００３４】
また、支持材５は、他方部５ｂが、プレート部材７ａの孔７ｃに挿通されるとともに、プレート部材７ａに覆い被さるようにドーム屋根２１の上面２１ａに配備された、覆い部材としての保護キャップ７ｂ内に収まるようにして、プレート部材７ａに固定されているため、支持材５の他方部５ｂおよびその他方部５ｂが固定されたプレート部材７ａを、風雨などから保護することができる。
【００３５】
また、この改修方法にあっては、遮断膜４を支持する支持材５を一端１０ａ側に形成するまたは備える（図示実施の形態においては、一端１０ａ側に形成する）複数の長材１０、１０を、ドーム屋根２１に設けた複数の貫通孔６、６の各々を通じて、ドーム屋根２１の上面２１ａ側からタンク１内に垂下させるとともに、支持材５、５の一方部５ａ、５ａを、タンク１内に搬入した遮断膜４（詳細には、取付固定部４ａ、４ａ）に固定する。その後、それら長材１０、１０の一端１０ａ、１０ａ側を、複数の貫通孔６、６の各々を通じて引き上げることで、遮断膜４を吊り上げるとともに、支持材５、５を、複数の貫通孔６、６の各々を通じて、ドーム屋根２１の上面２１ａ側と遮断膜４との間に渡す。さらに、それら支持材５、５の他方部５ｂ、５ｂを、ドーム屋根２１の上面２１ａに設けた固定部７、７（詳細には、プレート部材７ａ、７ａ）に固定する。したがって、支持材５、５の他方部５ｂ、５ｂを固定部７、７（詳細には、プレート部材７ａ、７ａ）に固定する作業を、貫通孔６、６を通じて、ドーム屋根２１上で行うことができ、作業性に優れる。また、支持材５、５の他方部５ｂ、５ｂが固定される固定部７、７（詳細には、プレート部材７ａ、７ａ）が、ドーム屋根２１の上面２１ａに設けられることから、ドーム屋根２１の内側面２１ｅの劣化が進んだ状態であっても、遮断膜４の取付工事を行うことができる。
【００３６】
また、長材１０、１０の一端１０ａ、１０ａ側を引き上げた後、それら長材１０、１０の、支持材５、５を除いた部分を切断除去するため、改修後のドーム屋根２１上が、長材１０、１０によって煩雑になることを回避あるいは低減することができる。
【００３７】
なお、本発明は、上述した実施の形態に限定されるわけではなく、その他種々の変更が可能である。例えば、屋根２は、ドーム屋根でなくても、平面状の屋根、あるいは、錐状の屋根等の、その他の屋根であってもよい。
【００３８】
また、ドーム屋根２１には、必ずしも環状に並ぶ貫通孔６、６群が、同心円状に複数列設けられていなくてもよく、それ以外の所望の配置で、複数の貫通孔６、６が設けられても構わない。
【００３９】
また、支持材５は、紐あるいはロープからならなくてもよく、例えば、図１０に示す第二の実施の形態のように、ワイヤーからなってもよい。この第二の実施の形態においては、ワイヤーからなる支持材５の他方部５ｂは、プレート部材７ａの孔（図示せず）に挿通されるとともに、そのプレート部材７ａの上方にて、例えば、ワイヤークリップ等の挟持具１２によって挟持されて、プレート部材７ａに固定されている。また、支持材５の一方部５ａは、固定タブ４ｂ（取付固定部４ａ）を通って折り返されるとともに、折り返された先端側にて、ワイヤークリップ等の挟持具１２ａによって挟持されて、その固定タブ４ｂ（取付固定部４ａ）に固定されている。
【００４０】
そして、この第二の実施の形態における改修方法にあっては、ワイヤーからなる複数の長材１０、１０を、前述した第一の実施の形態と同様に、一端１０ａ、１０ａ側から、貫通孔６、６の各々を通じてタンク１内に垂下させる。その後、タンク１内に垂下させた長材１０、１０における支持材５、５を、遮断膜４の取付固定部４ａ、４ａに取付固定する（詳細には、支持材５、５の一方部５ａ，５ａを、遮断膜４の固定タブ４ｂ、４ｂに通して折り返すとともに、折り返した先端側にて、挟持具１２ａにより挟持させる）。さらに、前述した第一の実施の形態と同様に、長材１０、１０の一端１０ａ、１０ａ側を引き上げて、支持材５、５を、貫通孔６、６の各々を通じて、ドーム屋根２１の上面２１ａ側と遮断膜４との間に渡す。
【００４１】
その後、プレート部材７ａ、７ａの上方にて、挟持具１２によって支持材５、５の他方部５ｂ、５ｂを挟持させて、それら支持材５、５の他方部５ｂ、５ｂをプレート部材７ａ、７ａに固定する。また、プレート部材７ａ、７ａを、接着剤等によって、ドーム屋根２１の上面２１ａに固着する。さらに、長材１０、１０の、支持材５、５を除いた部分を切断除去する。その後、前述した第一の実施の形態と同様に、保護キャップ７ｂ、７ｂを設置し、コーキング７ｅ、７ｅ処理する。
【００４２】
また、固定部７は、プレート部材７ａと保護キャップ７ｂとを備える構成でなくてもよく、例えば、図１１に示す第三の実施の形態、および図１２に示す第四の実施の形態のように、固定部７は、貫通孔６に臨むようにドーム屋根２１の上面２１ａに配備された鉄棒等の金属製の棒状部材７ｆを備える構成であってもよい。そして、棒状部材７ｆと、その棒状部材７ｆに固定された支持材５の他方部５ｂとに、コンクリートＣが巻き立てられていてもよい。この場合、棒状部材７ｆとして、鉄筋を利用しても構わない。なお、図１１および図１２においては、説明の便宜上、コンクリートＣを想像線にて表している。
【００４３】
第三の実施の形態においては、ドーム屋根２１の上面２１ａに、複数の貫通孔６、６の上方を通るようにして、複数の棒状部材７ｆ、７ｆが配備されている。そして、紐あるいはロープからなる支持材５の、他方部５ｂが、貫通孔６の上方で棒状部材７ｆに結び止められ、さらに、接着剤等によって固められるようにして、その棒状部材７ｆに固定されている。さらに、貫通孔６は、その上端側が、例えば、モルタルやコンクリート等の詰め材Ｐによって詰められている。また、支持材５の一方部５ａは、前述した第一の実施の形態と同様に、固定タブ４ｂ（取付固定部４ａ）に結び止められ、さらに、接着剤等によって固められるようにして、固定タブ４ｂ（取付固定部４ａ）に取付固定されている。
【００４４】
また、第三の実施の形態における改修方法にあっては、紐あるいはロープからなる長材１０、１０の一端１０ａ、１０ａ側を引き上げた後、それら長材１０、１０の、支持材５、５を除いた部分を切断除去するとともに、支持材５、５の他方部５ｂ、５ｂを、貫通孔６、６の上方で棒状部材７ｆ、７ｆに結び止め、さらに、接着剤等によって固める。その後、貫通孔６の上端側に詰め材Ｐを詰めるとともに、棒状部材７ｆ、７ｆおよび支持材５、５の他方部５ｂ、５ｂにコンクリートＣを巻き立てる。
【００４５】
第四の実施の形態においては、前述した第三の実施の形態と同様に、ドーム屋根２１の上面２１ａに、複数の貫通孔６、６の上方を通るようにして、複数の棒状部材７ｆ、７ｆが配備されている。そして、ワイヤーからなる支持材５の、他方部５ｂが、棒状部材７ｆの上方を通って折り返されるとともに、折り返された先端側にて、ワイヤークリップ等の挟持具１２によって挟持されて、その棒状部材７ｆに固定されている。さらに、貫通孔６は、その上端側が、例えば、モルタルやコンクリート等の詰め材Ｐによって詰められている。また、支持材５の一方部５ａは、前述した第二の実施の形態と同様に、固定タブ４ｂ（取付固定部４ａ）を通って折り返されるとともに、折り返された先端側にて、ワイヤークリップ等の挟持具１２ａによって挟持されて、その固定タブ４ｂ（取付固定部４ａ）に固定されている。
【００４６】
また、第四の実施の形態における改修方法にあっては、ワイヤーからなる長材１０、１０の一端１０ａ、１０ａ側を引き上げた後、それら長材１０、１０の、支持材５、５を除いた部分を切断除去する。そして、支持材５、５の他方部５ｂ、５ｂを、棒状部材７ｆの上方を通して折り返すとともに、折り返した先端側にて、挟持具１２によって挟持させて、支持材５、５の他方部５ｂ、５ｂを棒状部材７ｆ、７ｆに固定する。その後、貫通孔６の上端側に詰め材Ｐを詰めるとともに、棒状部材７ｆ、７ｆおよび支持材５、５の他方部５ｂ、５ｂにコンクリートＣを巻き立てる。
【００４７】
そして、これら第三の実施の形態および第四の実施の形態における改修構造にあっては、固定部７が、貫通孔６に臨むようにドーム屋根２１の上面２１ａに配備された棒状部材７ｆを備え、かつ、棒状部材７ｆと、その棒状部材７ｆに固定された支持材５の他方部５ｂとに、コンクリートＣが巻き立てられているため、支持材５の他方部５ｂおよびその他方部５ｂが固定された棒状部材７ｆを、風雨などから保護するとともに、それら支持材５の他方部５ｂと棒状部材７ｆとをより強固に固定することができる。
【００４８】
また、複数の長材１０、１０は、一端１０ａ、１０ａ側に、支持材５、５を形成していなくてもよく、支持材５、５を備えていてもよい。すなわち、紐あるいはロープとか、ワイヤー等からなる複数の長材１０、１０は、一端１０ａ、１０ａ側に、それら長材１０、１０とは別体に形成された、紐あるいはロープとか、ワイヤー等からなる支持材５、５を、取り外し可能に備えていてもよい。この場合にあっては、長材１０、１０の一端１０ａ、１０ａ側を引き上げた後、それら長材１０、１０の、支持材５、５を除いた部分を取り除くのが望ましい。なお、長材１０と支持材５とは、必ずしも同一の素材からならなくてもよく、異なる素材からなってもよい。
【００４９】
ここで、前述した第一〜第四の実施の形態にあっては、支持材５を一端１０ａ側に形成するまたは備える複数の長材１０、１０を用いて、遮断膜４を配設していたが、必ずしもこのような構成である必要はなく、例えば、図１３および図１４に示す第五の実施の形態のように、予め複数の支持材５、５が固定されてなる遮断膜４と、複数の長材１０、１０とを用いて、遮断膜４を配設してもよい。
【００５０】
この第五の実施の形態においては、支持材５は、例えば鉄棒等の金属製の棒部材からなり、その他方部５ｂは、プレート部材７ａの孔（図示せず）に挿通されるとともに、ナット部材１３が締め付けられて、プレート部材７ａに固定されている（図１３参照）。また、支持材５の一方部５ａには、プレート体１３ａが取り付けられており、このプレート体１３ａが、例えば、接着剤等によって、遮断膜４の、ドーム屋根２１の内側面２１ｅと対向する面（図示実施の形態においては、上面）に固着されている。
【００５１】
また、この第五の実施の形態における改修方法は、次のとおりである。タンク１内に、ドーム屋根２１とタンク１内との間を遮断する遮断膜４を搬入する。次に、複数の長材１０、１０を、前記貫通孔６、６の各々を通じて、ドーム屋根２１の上面２１ａ側からタンク１内に垂下させるとともに、それら長材１０、１０の一端１０ａ、１０ａ側と、タンク１内に搬入した遮断膜４に一方部５ａ、５ａが固定された、遮断膜４を支持する支持材５、５とをつなぐ。その後、長材１０、１０の一端１０ａ、１０ａ側を、貫通孔６、６の各々を通じて引き上げることで、遮断膜４を吊り上げるとともに、支持材５、５を、貫通孔６、６の各々を通じて、ドーム屋根２１の上面２１ａ側と遮断膜４との間に渡す。そして、それら支持材５、５の他方部５ｂ、５ｂを、前記固定部７、７に固定して、遮断膜４をドーム屋根２１の下方に配設する。
【００５２】
詳細には、貫通孔６、６の形成後、棒部材からなる複数の支持材５、５が予め固定されてなる遮断膜４を、タンク１内に搬入する。そして、紐あるいはロープとかワイヤー等からなる長材１０、１０を、形成した貫通孔６、６の各々を通じてタンク１内に垂下させるとともに、それら長材１０、１０の一端１０ａ、１０ａ側を、タンク１内に搬入した遮断膜４の支持材５、５につなぐ（図１４参照）。その後、前述した第一〜第四の実施の形態と同様に、各長材１０、１０を、ドーム屋根２１の上面２１ａに配備した巻き上げ手段１１、１１によって巻き上げることで、長材１０、１０の一端１０ａ、１０ａ側を、貫通孔６、６の各々を通じて引き上げる。こうして、各長材１０、１０の一端１０ａ、１０ａ側が引き上げられることによって、遮断膜４が吊り上げられるとともに、それら長材１０、１０につながれた支持材５、５が、貫通孔６、６の各々を通じて、ドーム屋根２１の上面２１ａ側と遮断膜４との間に渡されることとなる。そして、長材１０、１０の一端１０ａ、１０ａ側を引き上げた後、それら長材１０、１０を、支持材５、５から取り除くとともに、プレート部材７ａ、７ａを、それらの孔（図示せず）に支持材５、５の他方部５ｂ、５ｂを通すようにして、ドーム屋根２１の上面２１ａに配備する。そして、支持材５、５の他方部５ｂ、５ｂに、ナット部材１３を締め付けて、支持材５、５の他方部５ｂ、５ｂをプレート部材７ａ，７ａに固定する。また、前述した第一の実施の形態および第二の実施の形態と同様に、プレート部材７ａ、７ａを、接着剤等によって、ドーム屋根２１の上面２１ａに固着し、さらに、保護キャップ７ｂ、７ｂを設置し、コーキング７ｅ、７ｅ処理する。
【００５３】
そして、この第五の実施の形態においても、前述した第一〜第四の実施の形態と同様に、支持材５、５の他方部５ｂ、５ｂを固定部７、７（詳細には、プレート部材７ａ、７ａ）に固定する作業を、貫通孔６、６を通じて、ドーム屋根２１上で行うことができ、作業性に優れる。また、ドーム屋根２１の内側面２１ｅの劣化が進んだ状態であっても、遮断膜４の取付工事を行うことができる。また、長材１０、１０の一端１０ａ、１０ａ側を引き上げた後、それら長材１０、１０を、支持材５、５から取り除くため、改修後のドーム屋根２１上が、長材１０、１０によって煩雑になることを回避あるいは低減することができる。
【００５４】
また、第五の実施の形態にあっては、支持材５の一方部５ａに取り付けられたプレート体１３ａが、例えば、接着剤等によって、遮断膜４に固着されることによって、支持材５が遮断膜４に固定されているが、必ずしもこのような構成である必要はなく、例えば、図１５に示す第六の実施の形態のように、支持材５の一方部５ａには、挟持部材としての複数のプレート体１３ａ、１３ａが取り付けられており、これらプレート体１３ａ、１３ａで遮断膜４を挟み込むようにして、支持材５が遮断膜４に固定されていてもよい。
【００５５】
また、このように、予め複数の支持材５、５が固定されてなる遮断膜４と、複数の長材１０、１０とを用いて、遮断膜４を配設する場合においても、前述した第三の実施の形態および第四の実施の形態と同様に、固定部７が、貫通孔６に臨むようにドーム屋根２１の上面２１ａに配備された棒状部材７ｆを備え、かつ、棒状部材７ｆと、その棒状部材７ｆに固定された支持材５の他方部５ｂとに、コンクリートＣが巻き立てられていてもよい。ここで、図１６に示す第七の実施の形態においては、第三の実施の形態および第四の実施の形態と同様に、ドーム屋根２１の上面２１ａに、複数の貫通孔６、６の上方を通るようにして、複数の、鉄製の棒状部材７ｆ、７ｆが配備されている。そして、鉄製の棒部材からなる支持材５の、他方部５ｂが、例えば、溶接等によって、鉄製の棒状部材７ｆに固定されている。さらに、貫通孔６は、その上端側が、例えば、モルタルやコンクリート等の詰め材Ｐによって詰められている。
【００５６】
また、第七の実施の形態における改修方法にあっては、前述した第五の実施の形態および第六の実施の形態と同様に、鉄製の棒部材からなる複数の支持材５、５が予め固定されてなる遮断膜４を、タンク１内に搬入する。そして、紐あるいはロープとかワイヤー等からなる長材１０、１０を、形成した貫通孔６、６の各々を通じてタンク１内に垂下させるとともに、それら長材１０、１０の一端１０ａ、１０ａ側を、タンク１内に搬入した遮断膜４の支持材５、５につなぐ。そして、長材１０、１０の一端１０ａ、１０ａ側を引き上げた後、それら長材１０、１０を、支持材５、５から取り除くとともに、支持材５、５の他方部５ｂ、５ｂを、例えば、溶接等によって、鉄製の棒状部材７ｆに固定する。さらに、貫通孔６の上端側に詰め材Ｐを詰めるとともに、棒状部材７ｆ、７ｆおよび支持材５、５の他方部５ｂ、５ｂにコンクリートＣを巻き立てる。
【００５７】
そして、この第七の実施の形態における改修構造においても、前述した第三の実施の形態および第四の実施の形態と同様に、支持材５の他方部５ｂおよびその他方部５ｂが固定された棒状部材７ｆを、風雨などから保護するとともに、それら支持材５の他方部５ｂと棒状部材７ｆとをより強固に固定することができる。
【００５８】
また、第五の実施の形態および第六の実施の形態において、棒部材からなる支持材５は、鉄棒等の金属製でなくてもよく、合成樹脂製であっても構わない。また第三の実施の形態および第四の実施の形態において、棒状部材７ｆは、鉄棒等の金属製でなくてもよく、合成樹脂製であってもよい。
【００５９】
また、予め複数の支持材５、５が固定されてなる遮断膜４と、複数の長材１０、１０とを用いて、遮断膜４を配設する場合において、それら複数の支持材５、５は、棒部材からならなくてもよく、紐あるいはロープとか、ワイヤー等からなってもよい。一方、支持材５を一端１０ａ側に形成するまたは備える複数の長材１０、１０を用いて、遮断膜４を配設する場合（前述した第一〜第四の実施の形態の場合）において、それら支持材５、５が、例えば、鉄棒等の金属製、あるいは、合成樹脂製の棒部材からなってもよい。
【００６０】
また、支持材５、５は、貫通孔６、６の各々を通じて、貫通孔６、６から鉛直下方に直状に延びるようにして、ドーム屋根２１の上面２１ａ側と遮断膜４との間に渡されていなくてもよく、例えば、貫通孔６、６から斜め下方に直状に延びるようにして、あるいは、貫通孔６、６から湾曲あるいは屈曲するようにして、ドーム屋根２１の上面２１ａ側と遮断膜４との間に渡されていてもよい。
【００６１】
また、遮断膜４の周端部分４ｃは、ドーム屋根２１の内側面２１ｅの周縁部２１ｆに固定されていなくてもよく、例えば、図１７に示すように、タンク１の側壁１ａの内側面１ｂ、例えば、内側面１ｂの上端部に固定されていてもよい。図示実施の形態においては、遮断膜４の周端部分４ｃと、タンク１の側壁１ａの内側面１ｂの上端部との間には、気密性を確保するために、例えばスポンジゴム等の弾性材からなるシール材２２を介在させている。そして、遮断膜４の周端部分４ｃおよびシール材２２は、プレート２３を介してボルト２４等の固着具によって、側壁１ａの内側面１ｂの上端部に取付固定されている。
【００６２】
また、タンク１の屋根改修方法において、必ずしも貫通孔６、６の形成後に、遮断膜４をタンク１内に搬入しなくてもよく、遮断膜４をタンク１内に搬入した後に、貫通孔６、６を形成しても構わない。
【００６３】
また、本発明に係る上水用タンクの屋根改修構造および上水用タンクの屋根改修方法として、既述した各種の実施の形態に示される構成要素を適宜組み合わせて実施してもよい。
【符号の説明】
【００６４】
１      上水用タンク
２      屋根
２１    ドーム屋根
２１ａ  ドーム屋根の上面
３      屋根改修構造
４      遮断膜
５      支持材
５ａ    支持材の一方部
５ｂ    支持材の他方部
６      貫通孔
７      固定部
７ａ    プレート部材
７ｂ    保護キャップ（覆い部材）
７ｃ    プレート部材の孔
７ｆ    棒状部材
１０    長材
１０ａ  長材の一端
Ｃ      コンクリート
【図１】
0005485783.tif 000002
【図２】
0005485783.tif 000003
【図３】
0005485783.tif 000004
【図４】
0005485783.tif 000005
【図５】
0005485783.tif 000006
【図６】
0005485783.tif 000007
【図７】
0005485783.tif 000008
【図８】
0005485783.tif 000009
【図９】
0005485783.tif 000010
【図１０】
0005485783.tif 000011
【図１１】
0005485783.tif 000012
【図１２】
0005485783.tif 000013
【図１３】
0005485783.tif 000014
【図１４】
0005485783.tif 000015
【図１５】
0005485783.tif 000016
【図１６】
0005485783.tif 000017
【図１７】
0005485783.tif 000018
【図１８】
0005485783.tif 000019